(57)【要約】【課題】所定の従属項に含まれるキーワードを的確に出力して、請求項の分析作業における精度向上と作業効率向上を同時に図り得る特許情報の請求項分析装置を提供する。【解決手段】独立項と従属項とを有する特許情報の請求項の文中からキーワードを抽出して出力する特許情報の請求項分析装置であって、従属項のキーワードは、当該従属項が従属する独立項や当該従属項が従属する従属項のキーワードをも含めて同時に出力されることを特徴とする。また、従属項のキーワードは、当該従属項が従属する独立項や当該従属項が従属する従属項と重複するキーワードがある場合に、当該従属項のキーワードが出力され、前記従属項のキーワードとそれ以外のキーワードが識別化されて出力される。【選択図】　図２
2004094528.tif 000002
【特許請求の範囲】
【請求項１】
独立項と従属項とを有する特許情報の請求項の文中からキーワードを抽出して出力する特許情報の請求項分析装置であって、
前記従属項のキーワードは、当該従属項が従属する独立項や当該従属項が従属する従属項のキーワードをも含めて同時に出力されることを特徴とする特許情報の請求項分析装置。
【請求項２】
前記従属項のキーワードは、当該従属項が従属する独立項や当該従属項が従属する従属項と重複するキーワードがある場合に、当該従属項のキーワードとして出力されることを特徴とする請求項１に記載の特許情報の請求項分析装置。
【請求項３】
前記従属項に記述されているキーワードと当該従属項が従属する独立項や当該従属項が従属する従属項のキーワードとが識別化されて出力されることを特徴とする請求項１または２に記載の特許情報の請求項分析装置。
【発明の詳細な説明】
【０００１】
【発明の属する技術分野】
本発明は、特許公報等の特許情報の請求項の文中からキーワードを抽出して出力する特許情報の請求項分析装置に関する。
【０００２】
【従来の技術】
現在、特許庁から発行される特許情報としてのＣＤ−ＲＯＭ特許公報には、一般的な書誌的事項や要約、特許請求の範囲、明細書の発明の詳細な説明等の文章情報からなる技術情報が掲載されて、これらがキーワード等の指定項目に基づいて機械検索できるように構成されている。
【０００３】
そして、従来、このＣＤーＲＯＭ特許公報に掲載されている技術情報に基づき、例えば各特許情報の最も重要な情報である「特許請求の範囲」（実用新案登録公報は「実用新案登録請求の範囲」：以下これらを総称して「請求項」という）を分析する場合、各請求項の文章中（文中という）からキーワードを自動的に抽出する分析装置が使用されている。この分析装置は、請求項として独立項と従属項がある場合、各請求項毎にその文中にあるキーワードを抽出して例えば表示したり印刷するようになっているのが一般的である。
【０００４】
【発明が解決しようとする課題】
しかしながら、このような請求項の分析装置においては、請求項として独立項とこれに従属する従属項がある場合に、独立項は独立項のみの文中から、また従属項は従属項のみの文中からキーワードを抽出して表示等するため、例えば所定の従属項のキーワード中に、従属する独立項や従属項のキーワードが含まれず、当該従属項が従属する独立項や従属項のキーワードを再度抽出する必要がある。
【０００５】
その結果、所定の従属項の技術的内容であるキーワードを一目で明確に確認できる状態で表示したり印刷することができず、分析作業における分析精度の面で劣ると共に分析作業に時間がかかって作業効率を十分に向上させることが困難であるという問題点を有し、特に、近年の出願のように請求項の数が多い場合等に、この問題点が一層顕著になり易い。
【０００６】
本発明は、このような事情に鑑みてなされたもので、その目的は、所定の従属項に含まれるキーワードを的確に出力して、請求項の分析作業における精度向上と作業効率向上を同時に図り得る特許情報の請求項分析装置を提供することにある。
【０００７】
【課題を解決するための手段】
かかる目的を達成すべく、本発明のうち請求項１記載の発明は、独立項と従属項とを有する特許情報の請求項の文中からキーワードを抽出して出力する特許情報の請求項分析装置であって、前記従属項のキーワードは、当該従属項が従属する独立項や当該従属項が従属する従属項のキーワードをも含めて同時に出力されることを特徴とする。
【０００８】
このように構成することにより、特許情報の請求項のうちの所定の従属項のキーワードが、当該従属項の文中のキーワードの他に、当該従属項が従属する独立項や当該従属項が従属する従属項のキーワードも含まれて同時に出力される。これにより、所定の従属項に含まれる全てのキーワードを同時に表示等できて、請求項の分析作業の精度向上や分析作業の作業効率の向上が図れる。
【０００９】
そして、前記従属項のキーワードは、請求項２に記載の発明のように、当該従属項が従属する独立項や当該従属項が従属する従属項と重複するキーワードがある場合に、当該従属項のキーワードが出力されることが好ましい。このように構成することにより、所定の従属項と当該従属項が従属する独立項や当該従属項が従属する従属項とに重複するキーワードがある場合に、当該従属項のキーワードのみが抽出されて出力されることから、キーワードの重複表示等が防止され的確かつ見易い出力状態が容易に得られて、分析作業の一層の作業効率向上等が図れる。
【００１０】
また、請求項３に記載の発明のように、前記従属項に記述されているキーワードと当該従属項が従属する独立項や当該従属項が従属する従属項のキーワードとが識別化されて出力されることが好ましい。このように構成することにより、抽出されたキーワードが独立項と従属項とで識別化されて出力されることから、キーワードを一層見易い状態で出力できて、分析作業のより一層の作業効率向上等が図れる。
【００１１】
【発明の実施の形態】
以下、本発明の実施の形態を図面に基づいて詳細に説明する。
図１は、本発明に係わる請求項分析装置を例えばパソコンを使用して構築した場合のブロック図を示している。
【００１２】
図１において、請求項分析装置１（以下、単に分析装置１という）は、ＣＰＵ３、ＲＡＭ４、ＲＯＭ５及びＩ／Ｏ６等がバスライン７を介して接続された制御装置２を有し、この制御装置２のＩ／Ｏ６の入力側には、キーボード８及びマウス９と、ＭＯドライブ等を含むＣＤ−ＲＯＭ等ドライブ１０が接続され、Ｉ／Ｏ６の出力側には、ＣＲＴ（液晶ディスプレイを含む）からなる表示器１１と、プリンタ１２等が接続されている。
【００１３】
そして、この分析装置１は、制御装置２のＲＯＭ５に記憶されているプログラムに基づいて、ＣＤ−ＲＯＭ等ドライブ１０にセットされている例えばＣＤ−ＲＯＭ特許公報を、キーボード８やマウス９で入力された条件に基づいて検索し、その請求項を制御装置２のＣＰＵ３に読み込み、所定の抽出処理によってキーワードを抽出すると共に、例えば抽出したキーワードを表示器１１に出力して表示したり、プリンタ１２に出力して印字するように構成されている。
【００１４】
次に、この分析装置１の動作の一例を図２〜図４に基づいて説明する。なお、図２のフローチャートは、前記ＲＯＭ５に記憶されているプログラムにしたがって自動的に実行される。また、特許公報の請求項は、説明の便宜上、図３に示す如く独立項としての「請求項１」とこの請求項１に従属する従属項としての「請求項２」であるものとする。
【００１５】
図２に示すように、プログラムが開始（Ｓ１０１）されると、先ず、請求項ｎ（図２の場合、請求項２でｎ＝２）がセット（Ｓ１０２）され、次に当該請求項２の文中に従属項を示す”〜項記載”があるか否かが判断（Ｓ１０３）される。この例の請求項２の場合は、「・・請求項１・・」なる記載があることから、判断Ｓ１０３で「ＹＥＳ」となり、従属先の請求項番号（番号１）が取得（Ｓ１０４）される。一方、判断Ｓ１０３で「ＮＯ」の場合は、従属する請求項がないことから独立請求項（独立項）として判断（Ｓ１０７）され、一連のプロブラムが終了する。
【００１６】
前記ステップＳ１０４で従属先の請求項番号が取得されると、ステップＳ１０２でセットした請求項とステップＳ１０４で取得された請求項のキーワードがそれぞれ取得（抽出）されて表示（Ｓ１０５）される。この時の表示は、図３の請求項の場合、図４に示すようになる。
【００１７】
すなわち、図４（ａ）は、請求項１の文中から抽出されたキーワードＫ１であり、図４（ｂ）が本発明によって請求項２から抽出されたキーワードＫ２である。この請求項２のキーワードＫ２の場合、請求項２の文中から抽出されたキーワードｋ２と、請求項２が従属する請求項１の文中から抽出された前記キーワードＫ１とが同時に出力（表示）される。
【００１８】
この図４（ｂ）に示すキーワードＫ２により、請求項２が従属する請求項１のキーワードＫ１を含めた請求項２の全てのキーワードＫ２が同時に表示されて分析者に一目で把握されることになって、例えば従来のように各請求項毎のキーワードをそれぞれ出力して分析する必要がなくなり、請求項の分析作業の精度向上が図れると共に、分析作業の作業時間の短縮化が図れる。
【００１９】
なお、この請求項２のキーワードＫ２の表示において、請求項２の文中から抽出されたキーワードｋ２と請求項１の文中から抽出されたキーワードｋ１とが、例えば「ＬＥＤ表示器」等のように重複する場合は、当該従属項としての請求項２のキーワードｋ２が採用される。また、請求項２のキーワードＫ２と請求項１のキーワードＫ１は、例えば色分け表示される等して識別化される。これらにより、表示される請求項２のキーワードＫ２を分析がし易い状態で表示器１１に表示できて、分析作業の一層の精度向上や時間短縮が図れ、請求項の数が例えば二桁のように多い出願であっても、請求項の分析作業を効率的かつ的確に行うことが可能になる。
【００２０】
このようにしてステップＳ１０５でキーワードＫ２が表示されると、図２に示すように、ステップＳ１０２でセットされたｎが従属先の請求項番号に設定（Ｓ１０６）され、判断Ｓ１０３に戻る。図３の請求項の場合は、請求項２の従属先が請求項１であることから、ステップＳ１０６でｎ＝１となり、判断Ｓ１０３で「ＮＯ」なって、ステップＳ１０７に移りプロブラムが終了することになる。
【００２１】
なお、上記実施例では、請求項が独立項と１つの従属項で構成される場合について説明したが、本発明に係わる従属項とは、独立項に従属する場合に限らず、従属項に従属した従属項の場合にも勿論適用することができる。また、上記実施例においては、出力として表示器１１に表示する場合について説明したが、例えば表示器１１への表示と共にプリンタ１２に印字しても良く、この場合、カラー印刷することによって請求項毎のキーワードを識別化することもできる。さらに、識別化自体も色による識別に限らず、例えば文字の大きさや種類等の各種表示形態を採用することができる。
【００２２】
【発明の効果】
以上詳述したように、請求項１記載の発明によれば、特許情報の請求項のうちの所定の従属項のキーワードが、当該従属項の文中のキーワードに当該従属項が従属する独立項や当該従属項が従属する従属項の文中のキーワードも含まれて同時に出力されるため、所定の従属項に含まれる全てのキーワードを同時に表示等できて、そのキーワードを一目で把握できる等、請求項の分析作業の精度向上を図ることができると共に、分析作業の作業効率の向上をも同時に図ることができる。
【００２３】
また、請求項２に記載の発明によれば、請求項１に記載の発明の効果に加え、所定の従属項と当該従属項が従属する独立項や当該従属項が従属する従属項とに重複するキーワードがある場合に、当該従属項のキーワードのみが抽出されて出力されるため、キーワードの重複表示等が防止されて、的確かつ見易い出力状態を容易に得ることができて、請求項の分析作業の一層の作業効率の向上等を図ることができる。
【００２４】
また、請求項３に記載の発明によれば、請求項１または２に記載の発明の効果に加え、従属項のキーワードと独立項のキーワードが識別化されて出力されるため、請求項毎のキーワードを一層見易い状態で出力することができて、請求項の分析作業のより一層の作業効率の向上等を図ることができる。
【図面の簡単な説明】
【図１】本発明に係わる特許情報の請求項分析装置の一例を示すブロック図
【図２】同その動作の一例を示すフローチャート
【図３】同その説明図
【図４】同その表示例を示す説明図
【符号の説明】
１：請求項分析装置
２：制御装置
３：ＣＰＵ
４：ＲＡＭ
５：ＲＯＭ
７：Ｉ／Ｏ
８：キーボード
９：マウス
１０：ＣＤ−ＲＯＭ等ドライブ
１１：表示器
１２：プリンタ
Ｋ１、Ｋ２、ｋ２：キーワード
【図１】
2004094528.tif 000003
【図２】
2004094528.tif 000004
【図３】
2004094528.tif 000005
【図４】
2004094528.tif 000006